(57)【要約】【課題】ハンドリングコストおよび輸送コストの低減に寄与すると同時に、貯蔵作業および回収作業に関する人間工学を改善することにある。【解決手段】プレ・パッケージングステーション（２００）と、バッチＬを、層の平面に対して本質的に垂直な方向に圧縮できる圧縮ステーション（３００）と、パッキングユニット（４００）と、一ステーションから他のステーションへと移動する間にタイヤバッチを一体に維持できるトランスファ組立体（１００）と、取出しステーション（５００）とを有することを特徴とするタイヤパッケージング装置およびタイヤパッケージング方法。【選択図】図１
2006168833.tif 000002
【特許請求の範囲】
【請求項１】
プレ・パッケージングステーション（２００）を有し、該ステーション（２００）では、単体バッチＬを形成する所与数のタイヤが、所与の全体的サイズ（２１０、２２０）内で、軸線ＸＸ′に沿って長手方向に配向された１つ以上の列をなしてかつ水平層をなして配置され、
バッチＬを、層の平面に対して本質的に垂直な方向に圧縮できる圧縮ステーション（３００）と、
パッキングユニット（４００）とを有し、該パッキングユニット（４００）は、軸線ＸＸ′に対して本質的に垂直な第一水平軸線ＹＹ′の回りでラッピングすることによりかつ方向ＸＸ′に対して本質的に平行な第二軸線の回りで、可変ピッチＰでヘリカルワインディングすることにより、バッチＬの周囲に、張力が付与された所与の幅のストラップ（ＢＹ、ＢＸ）を敷設できる１つ以上のアプリケータシステム（４１０、４２０）と、ストラップ（ＢＹ、ＢＸ）の敷設中にタイヤバッチＬを圧縮状態に維持できる２つのパッキングコンベア（４３０、４３１、４４０）とを備え、
一ステーションから他のステーションへと移動する間にタイヤバッチを一体に維持できるトランスファ組立体（１００）と、
取出しステーション（５００）とを更に有することを特徴とするタイヤパッケージング装置。
【請求項２】
種々のステーション（２００、３００、４００、５００）が、方向ＸＸ′で水平に整合されかつバッチＬを長手方向ＸＸ′に移動させることができる下方水平コンベア（２３０、３３０、４３０、４３１、５３０）により連結されていることを特徴とする請求項１記載のタイヤパッケージング装置。
【請求項３】
全体的サイズが、互いに調節可能な所与の距離を隔てて長手方向に垂直に配置された２つの垂直壁により定められることを特徴とする請求項１記載のタイヤパッケージング装置。
【請求項４】
全体的サイズが、長手方向に整合された２つの垂直支柱（２１０、２２０）により定められることを特徴とする請求項３記載のタイヤパッケージング装置。
【請求項５】
圧縮が本質的に水平な２つの圧縮板（３１０、３２０）の間で行われ、一方の圧縮板は、パッケージングすべきタイヤバッチＬを所与の量だけ圧縮すべく垂直方向ＺＺ′に移動できかつバッチＬを圧縮状態に維持しながら長手方向に移動させることができるモータ駆動型コンベア（３３０、３２１）が設けられていることを特徴とする請求項１記載のタイヤパッケージング装置。
【請求項６】
２つの圧縮板のうちの一方が振動テーブル（３１０）からなることを特徴とする請求項５記載のタイヤパッケージング装置。
【請求項７】
２つの圧縮板のうちの少なくとも一方が、引っ込めることができるフラップ（３２２、３２３）を有していることを特徴とする請求項５記載のタイヤパッケージング装置。
【請求項８】
パッキングユニット（４００）が少なくとも２つのモータ駆動型パッキングコンベア（４３０、４３１、４４０）を有し、該パッキングコンベア（４３０、４３１、４４０）は、調節可能な高さだけ互いに分離された本質的に水平な２つの平面を形成し、これにより、パッキングコンベア（４３０、４３１、４４０）は、バッチがその最大量だけ圧縮されたときに各圧縮板（３３０、３２０）にそれぞれ整合できることを特徴とする請求項５記載のタイヤパッケージング装置。
【請求項９】
パッキングユニット（４００）は、ストレッチ・ラッピングバンドラ（４１０）を備えた第一アプリケータシステムを有し、ストレッチ・ラッピングバンドラ（４１０）は、張力を付与してラッピングすることにより、パッケージングすべきバッチＬの周囲に、ストラップ（ＢＹ０、ＢＹ１）から形成された１つ以上のラッピングを敷設するように設計されており、ラッピングはＹＹ′軸線の回りで行われることを特徴とする請求項８記載のタイヤパッケージング装置。
【請求項１０】
パッキングユニット（４００）は、ストラップワインディングマシン（４２０）を備えた第二アプリケータシステムを有し、ストラップワインディングマシン（４２０）は、パッケージングすべきバッチＬの周囲にヘリカルワインディングすることにより、１つ以上のストラップ層（ＢＸ）を、張力を付与して敷設するように設計されており、ワインディングは、ストラップがこれらの幅の一部にオーバーラップするように長手方向軸線ＸＸ′に本質的に平行な軸線の回りで行われることを特徴とする請求項８記載のタイヤパッケージング装置。
【請求項１１】
ストラップワインディングマシン（４２０）は、前記パッキングコンベア（４３０、４４０）の下流側端部（４３１、４４１）に長手方向に対向して配置されていることを特徴とする請求項１０記載のタイヤパッケージング装置。
【請求項１２】
パッキングコンベア（４３０、４４０）の下流側端部（４３１、４４１）は、パッケージングすべきタイヤバッチＬより小さい幅を有していることを特徴とする請求項１１記載のタイヤパッケージング装置。
【請求項１３】
各パッキングコンベア（４３０、４４０）の下流側端部（４３１、４４１）は、該下流側端部（４３１、４４１）の横方向部分に配置された平行な長手方向隆起部を形成する肩部を備え、該肩部は、パッケージングすべきタイヤバッチと接触するコンベアの平面に対向して垂直方向に配向されかつ各コンベア端部（４３１、４４１）の長手方向隆起部を通る水平平面が各パッキングコンベアの下流側部分の移動要素のそれぞれ下方（４３１）および上方（４４１）になるような高さに位置していることを特徴とする請求項１２記載のタイヤパッケージング装置。
【請求項１４】
垂直方向下方のパッキングコンベア（４３０）は、軸線ＸＸ′に平行な水平軸線の回りで枢動するコンベアとして形成された下流側端部（４３１）を有していることを特徴とする請求項１３記載のタイヤパッケージング装置。
【請求項１５】
取出しステーション（５００）のコンベア（５３０）は、慣用フォークリフトトラックのフォーク間の距離に等しい距離で長手方向に間隔を隔てた２つの低い部分（５１０、５１１）を有していることを特徴とする請求項１記載のタイヤパッケージング装置。
【請求項１６】
トランスファ組立体は、下方コンベア（２３０、３３０、４３０、４３１）の両側で対をなして横方向に配置されかつ長手方向ＸＸ′および横方向ＹＹ′に移動できる少なくとも４つの引っ込み可能な垂直保持バー（１１１、１２１、１３１、１４１）を有していることを特徴とする請求項１記載のタイヤパッケージング装置。
【請求項１７】
ストラップ（ＢＸ、ＢＹ）は延伸可能かつ溶着可能な材料で形成され、ストラップを溶着する手段（４１６、４１７）を更に有することを特徴とする請求項１〜１６のいずれか１項記載のタイヤパッケージング装置。
【請求項１８】
ストラップ（ＢＸ）の幅は、パッキングコンベア（４３０、４４０）の下流側端部（４３１、４４１）の長さより小さいことを特徴とする請求項１１〜１７のいずれか１項記載のタイヤパッケージング装置。
【請求項１９】
タイヤが方向ＸＸ′に長手方向に配向された１つ以上の列に配置されかつ連続水平層にタイヤを一体にまとめることにより形成され、タイヤバッチＬが前記層により形成された平面に対して垂直な方向に圧縮され、かつバッチＬがその圧縮された状態に不動化されたタイヤバッチＬのパッケージング方法において、バッチＬが、軸線ＸＸ′に対して本質的に垂直な第一水平軸線の回りでラッピングすることにより、およびバッチＬをパッキングコンベア（４３０、４４０）間で圧縮された状態に維持しながら、方向ＸＸ′に対して本質的に平行な第二軸線の回りで可変ピッチＰでヘリカルワインディングすることにより、張力が付与されかつ所与の幅をもつストラップ（ＢＸ、ＢＹ）により不動化されることを特徴とするタイヤバッチのパッケージング方法。
【請求項２０】
タイヤがいわゆる「ヘリングボーン」形態で積重ねられることを特徴とする請求項１９記載のパッケージング方法。
【請求項２１】
バッチＬの圧縮度は１５〜６０％の間であることを特徴とする請求項１９記載のパッケージング方法。
【請求項２２】
タイヤバッチは最終圧縮度より大きい量で圧縮され、次にこの圧縮は、最終圧縮度に到達するように、所定値だけ弛緩されることを特徴とする請求項２１記載のパッケージング方法。
【請求項２３】
軸線ＸＸ′の回りのストラップＢＸのピッチＰでのヘリカル移動は、パッキングコンベア（４３０、４３１、４４１）の前進移動とバッチＬの周囲でのストラップＢＸのワインディング移動とを組合せることにより得られることを特徴とする請求項１９記載のパッケージング方法。
【請求項２４】
ピッチは正または負の値にすることができることを特徴とする請求項２３記載のパッケージング方法。
【請求項２５】
ピッチＰは、ゼロからストラップＢＸの幅に等しい値までの範囲内に定めることができることを特徴とする請求項２３記載のパッケージング方法。
【請求項２６】
ピッチＰは、局部的に、ストラップＢＸの幅より大きい値を有することを特徴とする請求項２３記載のパッケージング方法。
【請求項２７】
螺旋のワインディング張力およびピッチＰは、バッチがパッキングコンベアにより加えられた圧縮から解放されたときの弾性膨張量が２％以下となるように調節されることを特徴とする請求項２３〜２６のいずれか１項記載のパッケージング方法。
【請求項２８】
螺旋のワインディング張力およびピッチＰは、バッチがパッキングコンベアにより加えられた圧縮から解放されたときの弾性膨張量が１％以下となるように調節されることを特徴とする請求項２３〜２６のいずれか１項記載のパッケージング方法。
【請求項２９】
ストラップ（ＢＸ、ＢＹ）のワインディング張力は１〜１００ｄａＮの間にあることを特徴とする請求項１９〜２８のいずれか１項記載のパッケージング方法。
【請求項３０】
ストラップＢＸは、軸線ＸＸ′の回りでワインディングされ、同時に、バッチＬおよびパッキングコンベア（４３０、４４０）の下流側端部（４３１、４４１）の回りでワインディングされることを特徴とする請求項１９記載のパッケージング方法。
【請求項３１】
パッキングコンベア（４３０、４４０）の下流側端部は、パッキングコンベア（４３０、４３１、４４０）を作動させることによりストラップＢＸとタイヤバッチＬとの間のスペースから解放されて、タイヤバッチを長手方向に移動させることができることを特徴とする請求項３０記載のパッケージング方法。
【請求項３２】
長手方向軸線ＸＸ′の回りでのストラップＢＸのワインディングフェーズ中に、バッチＬの下面の１つ以上の長手方向中央部に付加圧縮が行われ、バッチＬの底部とバッチＬが載置される表面との間にスペースＥ[p.26]を形成することを特徴とする請求項１９記載のパッケージング方法。
【請求項３３】
下方パッキングコンベア（４３０）の下流側端部（４３１）を上昇させることにより、付加圧縮部が形成されることを特徴とする請求項３２記載のパッケージング方法。
【請求項３４】
ストラップＢＸ、ＢＹは溶着可能な材料から作られることを特徴とする請求項１９〜３３のいずれか１項記載のパッケージング方法。
【請求項３５】
ストラップＢＸ、ＢＹはリサイクル可能な材料から作られることを特徴とする請求項３４記載のパッケージング方法。
【請求項３６】
タイヤが方向ＸＸ′に長手方向に配向された１つ以上の列に配置されかつ連続水平層にタイヤを一体にまとめることにより形成され、タイヤバッチＬが前記層により形成された平面に対して垂直な方向に圧縮され、かつバッチＬがその圧縮された状態に不動化されている、パッケージングされたタイヤバッチＬにおいて、バッチＬは、軸線ＸＸ′に対して本質的に垂直な第一水平軸線ＹＹ′の回りでラッピングし、かつ方向ＸＸ′に対して本質的に平行な第二軸線の回りで可変ピッチＰでヘリカルワインディングすることにより、張力が付与された所与の幅のストラップ（ＢＸ、ＢＹ）により圧縮状態に不動化されていることを特徴とするパッケージングされたタイヤバッチ。
【請求項３７】
タイヤは、いわゆる「ヘリングボーン」形態で積重ねられていることを特徴とする請求項３６記載のタイヤバッチ。
【請求項３８】
ピッチは正または負の値にすることができることを特徴とする請求項３６記載のタイヤバッチ。
【請求項３９】
ピッチＰは、ゼロからストラップＢＸの幅に等しい値までの範囲内に定めることができることを特徴とする請求項３６記載のタイヤバッチ。
【請求項４０】
ピッチＰは、局部的に、ストラップＢＸの幅より大きい値を有することを特徴とする請求項３６記載のタイヤバッチ。
【請求項４１】
タイヤは、１５〜６０％の間の量で圧縮されることを特徴とする請求項３６記載のタイヤバッチ。
【請求項４２】
バッチＬの底面の１つ以上の長手方向中央部は、バッチが載置される表面から所与の高さＥにあることを特徴とする請求項３６記載のタイヤバッチ。
【請求項４３】
高さＥは０〜１５ｃｍの範囲内にあることを特徴とする請求項４２記載のタイヤバッチ。
【請求項４４】
第一層のタイヤは、所与の距離だけ長手方向に分離された２つの凹部（Ｄ１、Ｄ２）を形成するように配置されていることを特徴とする請求項３６記載のタイヤバッチ。
【請求項４５】
２つの凹部は、バッチの長手方向両端部に配置されていることを特徴とする請求項４４記載のタイヤバッチ。
【請求項４６】
ストラップＢＸ、ＢＹは溶着可能な材料から作られることを特徴とする請求項３６〜４５のいずれか１項記載のタイヤバッチ。
【請求項４７】
ストラップＢＸ、ＢＹはリサイクル可能な材料から作られることを特徴とする請求項４６記載のタイヤバッチ。
【発明の詳細な説明】
【技術分野】
【０００１】
本発明は、タイヤの分野に関し、より詳しくは、タイヤの貯蔵および輸送中のタイヤケーシングおよびハンドリングに関する。
【背景技術】
【０００２】
タイヤ分野に従事する人の作業条件を改善する恒常的要望およびより高い生産性を達成する不断の努力は、業務用倉庫内の貯蔵条件、輸送条件、荷物の積み降し条件、および配給または貯蔵領域の最適化の必要性により求められる、識別および移動が容易なバッチの製造を改善すべく活動することにより、かつ同時にタイヤの一体性を保持することにより、関連産業セクタの種々の作業者に、論理的連鎖（logistical chain）の最適化をもたらしている。
【０００３】
広く使用されているシステムは、種々の寸法および直径のタイヤを受入れることができるようにサイズが特別に選択されたパレットを用いている。例えば、貯蔵倉庫で現在使用されているパレットは特許文献１に開示されており、該特許では、タイヤはスタック（積重ね）すなわちロールとして貯蔵される。
【０００４】
この形式のパレットは、タイヤの均一なバッチを形成できること、互いに積重ねて大きい高さに配置できること、フォークリフトトラック型の機械的手段により操作できること、および外的攻撃に対してタイヤを良く保護できること等の長所を有している。これに対し、これらのパレットは、パレットの積荷のコンパクトさに欠けること、および空のパレットを戻すように構成する必要があることから、特に長距離輸送には適していない。
【０００５】
長距離輸送の場合には、それがトラックトレーラであるか、海上輸送コンテナであるか、鉄道ワゴンであるかを問わず、所与の体積内にできる限り多くのタイヤを積み込むことが望まれる。現在使用されているシステムは、タイヤを、「ヘリングボーン（herring-bone）」または「チェーン」として知られている特別な配置で互いに上下に積重ねて配置することであり、この場合には、体積が圧縮されて積荷が最適化される。これらの方法は、例えば特許文献２に開示されている。
【０００６】
この後者の方法は、積荷の体積を最適する上で非常に有効であるが、一部を手作業で行わなくてはならないという欠点を有し、これは、コスト、人間工学、バッチ一体性または均一貯蔵に関するファクタを制限する。
【０００７】
実際に、上記各システムは、貯蔵または輸送等の特定分野の最適解決が可能であることが一般的に理解されているが、論理的連鎖に沿う全てを１つの同じ技術的解決法で対処するのが有利であると考えられる。このためには、前記連鎖の種々の段階に従ってパッケージングを変える必要があり、従って、論理的連鎖に沿う特定箇所に最も適したシステムを選択することにより達成される利益を一部キャンセルする特定ハンドリング作業が不可欠である。
【０００８】
本発明の目的は、ハンドリングコストおよび輸送コストの低減に寄与すると同時に、貯蔵作業および回収作業に関する人間工学を改善することにある。
【０００９】
従来技術から、ヘリングボーンパターンに配置された所与数のタイヤから自律単体パック（autonomous unitary packs）を作ることは知られている。これらの自律ユニット（バッチとも呼ばれている）には、タイヤサイズおよび選択されるパッケージング体積に基いて、数１０本または１００〜２００本のタイヤを含めることができる。
【００１０】
かくして、特許文献３には、タイヤがスタックとして、より詳しくは「ヘリングボーン」と呼ばれている形態に配置され、次に２つの剛性板（該剛性板の周囲には、タイヤバッチを張力が付与された状態に維持できる収容手段が配置されている）の間で垂直に圧縮される方法が開示されている。これらの単体パックはコンパクトであるが、リサイクル可能な支持体（該支持体の管理は、論理的連鎖の組織を複雑化する）を有するという欠点がある。
【００１１】
特許文献４には、バンド、ストラップ、パッケージングファブリックまたは抗張力シート等の収容手段（該収容手段の目的は、スタックを所定形状に維持しかつ弾性膨張を防止することにある）により垂直に圧縮されかつ不動化されたヘリングボーン形態のタイヤバッチから単体パックを作る他の解決法が開示されている。この方法によれば、充分な剛性を有しかつ特殊な機械の補助を要せずして取扱うことができる自律単体パックが得られる。
【００１２】
しかしながら、単体パックをそのコンパクト化された状態で不動化するためには長時間を要しかつコストが嵩む作業が不可欠であり、これを入念に実行することは、このように形成される自律ユニットの実際の体積および安定性にとって重要なファクタである。実際に、単体パックがその圧縮された状態に維持されている間に収容手段を位置決めすることは困難な作業である。これらの２つの欠点のため、ハンドリング作業中に単体パックのほぐれが生じ、得られる単体パックのサイズおよび圧縮度が制限される。
【００１３】
このため、上記特許文献４には、圧縮作業が行われた後、圧縮されたバッチの弾性膨張を妨げる端ストップを形成する壁要素に対して加えられる長手方向の力により、タイヤのみが無視できる量だけ膨張するようにして、タイヤが２つの剛性端ストップの間で所与の順序で積重ねられる優先不動化方法が開示されている。この構成も、特殊アップライトを備えたパレットの使用に頼るものである。
【００１４】
【特許文献１】米国特許第５ ２５９ ３２５号明細書
【特許文献２】米国特許第５ ０９２ １０６号明細書
【特許文献３】米国特許第６ ５２７ ４９９号明細書
【特許文献４】フランス国特許第２ ２４３ １１５号明細書
【発明の開示】
【発明が解決しようとする課題】
【００１５】
本発明の目的は、上記欠点を解消できる装置および方法を提供することにある。
【課題を解決するための手段】
【００１６】
パッケージングすべきタイヤバッチの周囲で、ストリップを非常に特別な方向にラッピングすることにより、比較的容易な方法で、バッチを圧縮状態に維持しながらラッピングを行なうことができることが観察された。
【００１７】
このタイヤパッケージング装置は、
プレ・パッケージングステーションを有し、該ステーションでは、単体バッチＬを形成する所与数のタイヤが、所与の全体的サイズ内で、軸線ＸＸ′に沿って長手方向に配向された１つ以上の列をなしてかつ水平層をなして配置され、
バッチＬを、層の平面に対して本質的に垂直な方向に圧縮できる圧縮ステーションと、
パッキングユニットとを有し、該パッキングユニットは、軸線ＸＸ′に対して本質的に垂直な第一水平軸線ＹＹ′の回りでラッピングすることによりかつ方向ＸＸ′に対して本質的に平行な第二軸線の回りで、可変ピッチＰでヘリカルワインディングすることにより、バッチＬの周囲に、張力が付与された所与の幅のストラップを敷設できる１つ以上のアプリケータシステムと、ストラップの敷設中にタイヤバッチＬを圧縮状態に維持できる２つのパッキングコンベアとを備え、
一ステーションから他のステーションへと移動する間にタイヤバッチを一体に維持できるトランスファ組立体と、
取出しステーションとを更に有している。
【００１８】
ストラップを、バッチおよびパッキングコンベアの下流側部分のみの回りに同時にヘリカルワインディングすることにより、パッキングコンベアの下流側端部を、ストラップとタイヤバッチとの間のスペースから分離させ、コンベアを前進させることにより、バッチを、パッキングコンベアの下流側端部に対して長手方向に移動させることができる。コンベアに対するストラップの長手方向スライディングをできる限り容易に行えるようにするには、パッキングコンベアの寸法および形状を調節できなくてはならない。
【００１９】
パッケージングされたタイヤバッチの優れた結合力を確保するには、タイヤを、「ヘリングボーン」形態をなす連続水平層として積重ねるのが好ましい。
【００２０】
その上、タイヤバッチの圧縮度およびヘリカルワインディングの張力およびピッチを調節することにより、剛性パレット上にバッチを予め置く必要なくして、慣用フォークリフトトラックの補助により容易かつ直接的に操作できるタイヤバッチを得ることができる。パッケージングされたバッチは、フォークリフトトラックの２つのフォークで底部を支持したときに変形を防止する充分な構造的剛性を有している。
【００２１】
本発明の装置の特定実施形態の説明から後で理解されようが、タイヤバッチの形状は、パッケージングされたタイヤバッチの下へのフォークの導入を容易にする特定形状に変更できる。
【発明を実施するための最良の形態】
【００２２】
以下、図１〜図３１に示す図面を参照して本発明の方法および装置を説明する。
【００２３】
図１に示す装置は、プレ・パッケージングステーション２００と、圧縮ステーション３００と、パッキングユニット４００と、トランスファ組立体１００と、取出しステーション５００とを有している。
【００２４】
プレ・パッケージングステーション２００は、装置（その長手方向が軸線ＸＸ′で示されている）の上流側端部に位置している。タイヤバッチＬは、このステーションで作られる。適当な幾何学的形状のパッケージングされたバッチを得るため、タイヤは、長手方向軸線に対して垂直な２つの平面により形成された全体的スペース内に配置され、前記２つの平面には、バッチを形成するタイヤの列の両長手方向端部が接触する。本発明の要旨である装置について正確に説明するならば、垂直平面とは、軸線ＸＸ′上に中心をもつ２つの支柱２１０、２２０により実現されている。
【００２５】
優先手順は、タイヤを、互いに垂直に配置された水平層に積重ねて、単列のバッチＬを作ることである。同様に、バッチの最良の結合力を確保するため、タイヤは、いわゆる「ヘリングボーン」形態に配置される。
【００２６】
スタックは手作業で作ることもできるし、機械的手段により作ることもできるが、このことは本発明の要旨ではない。
【００２７】
各タイヤが、隣接タイヤに対して長手方向にタイヤ直径の１／２だけオフセットされるような他の構成も可能である。しかしながら、当該構成が許容できる構造的特性を有するものであっても、作られたバッチが所与の体積内に最大数のタイヤを収容できないことがある。
【００２８】
同様に、バッチは幾つかの列に配置できるが、比較的大きいサイズおよび質量をもつ乗用車用タイヤの場合には、単列を選択するのが好ましい。
【００２９】
２つの支柱２１０、２２０の間の距離により形成される全体的スペースのサイズは、長手方向に調節できる。この構成は、バッチＬを作るのに作業者が両支柱間のスペースに容易にアクセスすることを可能にする。
【００３０】
プレ・パッケージングされるバッチのサイズは、最終的に得られる圧縮バッチのサイズより１５〜６０％高い。列の長さは入念に選択され、例えば、長距離に亘ってバッチを輸送するのに使用されるトラックトレーラまたはワゴンまたはコンテナ等のより大きいサイズのパッケージングユニット幅に等しいか、これらの幅の倍数にする。
【００３１】
同じバッチに組合されるタイヤの本数は、数１０本から約１００本の範囲のタイヤケーシングにすることができる。
【００３２】
情報として、タイヤを単列に配置する本発明の装置を用いて作られるバッチの最小値および最大値を、下記表１により正確に示す。
（表１）
2006168833.tif 000003
【００３３】
タイヤはコンベア２３０上に配置される。このコンベア２３０は、長手方向ＸＸ′に配向されかつ圧縮ステーションのコンベア２３０、パッケージングユニットのコンベア４３０、４３１および取出しステーションのコンベア５３０と整合している。
【００３４】
下流側支柱２２０は垂直方向ＺＺ′に移動でき、これにより、タイヤバッチはプレ・パッケージングステーション２００から圧縮ステーション３００へと移動できる。この目的のため、ラックバー２２２およびモータ２２１が設けられている。
【００３５】
装置はまたトランスファ組立体１００を有し、該トランスファ組立体１００の機能は、タイヤバッチＬが一ステーションから他のステーションへと移動する間に、バッチＬの長手方向および横方向安定性を確保すること、およびタイヤバッチＬが正しくパッケージングされるまで、プレ・パッケージングステーション２００のクリアランスにより与えられた寸法内にバッチＬを維持することにある。
【００３６】
トランスファ組立体１００は４つのトランスファ支柱１１０、１２０、１３０、１４０を有し、これらの支柱は、長手方向ＸＸ′に移動できかつコンベア２３０、３３０、４３０、４３１の両側に対をなして配置される。これらのトランスファ支柱は長手方向レール１０１、１０２上に載っておりかつ摺動路１０３、１０４上を転動する数対のローラ１１４、１２４、１３４、１４４により支柱の頂部が案内される。
【００３７】
これらの各トランスファ支柱１１０、１２０、１３０、１４０は、保持バー１１１（隠れて見えない）、１２１、１３１、１４１を有する。これらの保持バーは横方向ＹＹ′に移動でき、かつトランスファ支柱の頂部および底部で横方向ＹＹ′に配置されたレール１１２、１１３、１２２、１２３、１３２（隠れて見えない）、１３３（隠れて見えない）により案内される。トランスファ支柱の長手方向移動および保持バーの横方向移動は、装置の自動パイロットシステムにより給電されるトランスファモータ（図示せず）により行われる。
【００３８】
保持バー１１１、１２１、１３１、１４１を、タイヤバッチの両側および各長手方向端部で横方向に位置するタイヤバッチの部分と接触させることにより、トランスファステーションは、バッチの結合力が、プレ・パッケージングステーション２００でバッチに付与された寸法内に確実されることを確保できる。トランスファ支柱を長手方向に移動させかつ下方コンベア２３０、３３０、４３０を同期態様で駆動することにより、バッチは、その寸法的特徴を変えることなく一ステーションから他のステーションへと搬送される。
【００３９】
圧縮ステーション３００は、互いに平行でかつ垂直方向ＺＺ′に対して垂直な２つの圧縮板を有している。
【００４０】
上方の圧縮板は、垂直方向に移動可能なコラム３２４、３２５により支持されたシャーシ３２０を有している。これらのコラム３２４、３２５は、荷重付与システム（図示せず）に連結されており、かつタイヤ層の平面に垂直な方向にタイヤバッチＬを垂直に圧縮するように、上方の圧縮板を所与の量だけ上昇または下降させるように設計されている。荷重付与システムは、ラックアンドピニオン組立体、油圧ジャッキ組立体または圧力を付与する任意の等価システムからなる機械的システムで構成でき、その荷重キャパシティは約２０００ｄａＮである。
【００４１】
上方板３２０は、長手方向ＸＸ′に移動できるコンベア３２１を支持している。このコンベア３２１はベルト型またはローラ型コンベアで構成され、好ましくはモータ駆動される。
【００４２】
上方板の長さは、タイヤバッチＬの列の長さに適合する長さである。タイヤが単列に配置されるときは、上方板の幅はタイヤバッチＬの幅より小さく作られ、実際にはタイヤの直径より小さく作られる。このサイズは、圧縮フェーズ中に、保持バー１１１、１２１、１３１、１４１がバッチＬと接触しているときに、保持バーに対して上方板が移動できる大きさが好ましい。
【００４３】
上方圧縮板に直接接触するバッチｌの上方部分のタイヤが大きく変形し過ぎないようにするため（この過大変形は、上方圧縮板の幅がタイヤの幅より非常に大きい場合に、上方圧縮板によりタイヤに加えられる圧力により生じる）、上方圧縮板には２つの側方フラップ３２２、３２３（隠れて見えない）が設けられている。これらの側方フラップ３２２、３２３は、上方圧縮板３２０のシャーシの両側に沿って長手方向に配置されていて、引っ込むことができる。
【００４４】
引っ込み可能なこれらのフラップは、長手方向ＸＸ′に平行な軸線の回りで枢動する。フラップが下降されると、該フラップは、上方板とタイヤとの接触面積を増大させる。これにより、タイヤの直径が大きいときに、バッチの頂部でのタイヤの過度のピンチングが防止される。パッケージングすべきタイヤが上方圧縮板の幅より極く僅か大きい直径を有するとき、およびバッチが直線移動する間は、フラップは上昇位置に維持される。
【００４５】
下方板は振動テーブル３１０からなり、該振動テーブル３１０上をコンベア３３０のベルトが循環する。この実施形態におけるコンベアはベルトコンベアであるが、ローラコンベアを振動テーブル上に取付けることもできる。コンベア３３０は、モータ駆動されることが好ましい。
【００４６】
振動テーブル３１０の機能は、圧縮フェーズ中にタイヤを互いに位置決めする補助をなすことにある。情報として、本発明の装置のＥuropercussionTM型（モデル １０／２６１０−Ｓ９０）振動テーブルは、０〜１０ｍｍの間で調節できる垂直振幅および０〜５０Ｈｚの間で調節できる振動数を有している。
【００４７】
パッキングユニット４００は、いずれも長手方向に配向された上方パッキングコンベア４４０および下方パッキングコンベア４３０と、それぞれストレッチ・ラッピングバンドラ４１０およびストラップワインディングマシン４２０からなるストラップアプリケータシステムとを有している。
【００４８】
上方パッキングコンベア４４０はコラム４４２により支持されており、該コラム４４２は、バッチＬの上方部分と接触するコンベアの平面の高さを調節できる。実際には、この高さは、タイヤバッチがその最大圧縮に到達したときの圧縮ステーション３００の上方圧縮板３２０の平面の高さに本質的に等しく、このため、両コンベアにより形成される水平面は実質的に一致する。
【００４９】
下方パッキングコンベア４３０は、下方圧縮板３１０のコンベア３３０と同一平面内にある。
【００５０】
上方パッキングコンベア４４０および下方パッキングコンベア４３０は、タイヤバッチを圧縮状態に維持できる水平平面を形成し、これらの水平平面間でバッチＬは長手方向に循環できる。かくして、タイヤバッチの圧縮度にいかなる修正を加えることなく、タイヤバッチを、圧縮ステーションからパッキングユニットへと搬送することができる。
【００５１】
本発明の装置では、コンベア４３０、４３１、４４１はベルトコンベア形式であるが、ローラ形式のコンベアを選択することもでき、これらのコンベアはモータ駆動される。
【００５２】
各パッキングコンベアはその下流側端部にコンベアの一部４３１、４４１を有し、該部分の幅は、上方圧縮板３２０の幅に実質的に等しい。実際には、上方パッキングコンベア４４０は単一コンベアからなり、その幅は本質的に上方圧縮板３２０の幅に等しい。搬送安定性を高めるため、下方パッキングコンベアは２つのコンベアからなり、これらのうち上流側のコンベア４３０は下方圧縮板３３０のコンベアと本質的に同じ幅を有するのに対し、下流側のコンベア４３１は上方パッキングコンベア４４１の下流側端部と同じ幅を有する。
【００５３】
各パッキングコンベア４３０、４４０の下流側端部４３１、４４１は、該端部４３１、４４１の側方部分に配置された肩部（図１８の拡大詳細図に詳細に示されている）４４５、４４６（いずれも図示せず）を有している。これらの肩部は、パッケージングすべきタイヤバッチに接触するコンベアの平面に垂直方向に対向して配向されている。これらの肩部は、相互に平行な長手方向隆起部を形成し、かつコンベアの各下流側部分４３１、４４１について、前記隆起部を通る水平平面が、パッキングコンベアの前記下流側部分の可動要素のそれぞれ下方（４３１）および上方（４４１）に位置するような態様で垂直方向に調節される。
【００５４】
この構成の目的は、ストラップＢＸが、パッケージングすべきタイヤバッチＬと、両パッキングコンベアの下流側端部４３１、４４１との周囲に同時にワインディングされるときに、パッキングコンベアの下流側端部４３１、４４１の可動表面とストラップＢＸとの接触を防止することにある。換言すれば、これらの肩部の目的は、ストラップＢＸが前記肩部の縁部上で引張られるときに、ストラップＢＸと、タイヤバッチとは接触していないパッキングコンベアの可動部分とのあらゆる接触を防止することにある。この可動部分は、ベルト型コンベア、またはモータ駆動されるローラ組立体のそれぞれ上方部分（４４１）または下方部分（４３１）の戻りベルトで構成できる。
【００５５】
下方パッキングコンベア４３１の下流側部分は、横方向ＹＹ′に対して本質的に平行な軸線の回りに関節連結されている。後で理解されようが、この構成の目的は、コンベア４３１が僅かに上昇されたときに、バッチＬの下方部分の圧縮度を増大させることにある。
【００５６】
第一アプリケータシステム４１０は、垂直ストレッチ・ラッピングバンドラからなる。ストラップＢＹ０、ＢＹ１はフィードスプール４１１、４１２により供給され、かつシームＳにより一体に連結されて垂直カーテン（該カーテンの平面は長手方向ＸＸ′に対して垂直である）を形成する。このカーテンは、それぞれコンベアの平面により形成されたギャップの外側に配置された２つのローラシステム４１３、４１４により引っ張られる。ストラップの張力は調節可能でありかつ本発明の装置では１〜１００ｄａＮの間で変えることができる。
【００５７】
カーテンの平面は、圧縮ステーションのコンベア３３０、３２１の下流側端部と、パッキングユニットのコンベア４３０、４４０の上流側端部との間の自由ギャップ内に配置される。フィードスプール４１１、４１２は、タイヤバッチがパッキングユニットと係合するときに、要求に応じて所定長さのストラップＢＹ０、ＢＹ１を供給する。装置を通る下流側では、バッチはその上流側前面が連続的に覆われ、次に、その下面および上面がストラップＢＹ０、ＢＹ１により覆われる。
【００５８】
本発明の装置の場合には、バンドラにより位置決めされたＹＹ′をもつストラップが、バッチの上流側および下流側に位置する２つの長手方向面、上面および下面を覆うことが理解されよう。しかしながら、後述のものと同様なストリップローラを、軸線が垂直である円形レール上に配置することにより、ストラップが、垂直軸線ＺＺ′に本質的に平行な一軸線に沿って上流側の面および下流側の面および側方面の回りでラッピングされる構成の、同じ結果が得られる装置を作ることも完全に可能である。
【００５９】
ストラップＢＹ０、ＢＹ１は、例えば「キャスティング」法または押出し法により得られかつＬＤＰＥまたはＨＤＰＥとして略記される高密度ポリエチレンまたは低密度ポリエチレンのストレッチフィルム等の溶着可能材料で形成するのが好ましく、フィルムの厚さは２０〜８０μｍの範囲にすることができる。ストラップの幅は、タイヤバッチの幅に基いて、１５０〜６００ｍｍの範囲にすることができる。リサイクル可能な材料を選択することによって、この形式のパッケージングの経済性を改善できる。
【００６０】
バッチがパッキングユニット内に完全に係合されたならば、支柱４１５により支持された上方ジョー４１６および下方ジョー（図示せず）からなる溶着ユニットが、下流側前面に対してカーテンをシールして、バッチＬの周囲に連続ラッピングを形成する。このラッピング軸線は、実質的に横方向ＹＹ′に平行である。溶着ユニットはブレードを有し、該ブレードによって、単にカッティングによりラッピングをカーテンから分離できる。最終溶着Ｓは、次のバッチをラッピングすることを意図したカーテンを再構成できる。
【００６１】
具体的に示すならば、本発明の装置には、例えばNorket５０の商標でThimon社から市販されているバンドラおよび溶着ユニットが設けられている。
【００６２】
パッキングユニットにはまた、長手方向軸線ＸＸ′に対して本質的に平行な軸線に沿う張力を付与してストラップＢＸをヘリカルにワインディングするように設計されたストラップワインディングマシン４２０が設けられている。
【００６３】
このストラップワインディングマシンは、パッキングコンベア４３０、４４０の下流側部分４３１、４４１に長手方向に対向するように配置されており、これにより、タイヤバッチＬの周囲にストラップＢＸをワインディングすると同時に、ストラップとバッチの下方および上方面との間で、バッチおよび下流側端部４３１、４４１を包囲する。
【００６４】
ストラップワインディングマシン４２０は、軸線ＸＸ′をもつ円形レール４２１により支持されており、これにより、ストラップＢＸを、タイヤバッチおよびパッキングコンベアの下流側端部４３１、４４１の周囲で同時にワインディングすることができる。
【００６５】
ストラップＢＸは、張力を付与した状態でワインディングされる。このワインディング張力は、ストラップの予延伸（pre-drawing）により付与される。本発明の装置の場合には、予延伸は０〜３００％の範囲にすることができ、１〜１００ｄａＮの範囲のワインディング張力を発生する。
【００６６】
ストラップＢＸは、７〜４０μｍの範囲の厚さのＬＤＰＥフィルム等の溶着可能材料から作るのが好ましい。ストラップの幅は２３０〜５００ｍｍの範囲内で入念に定められ、パッキングコンベアの下流側端部４３１、４４１の長さ以下であるのが好ましい。リサイクル可能な材料を選択することにより、この形式のパッケージングの経済性も改善される。
【００６７】
ストラップのヘリカル移動は、パッキングコンベア４３０、４３１、４４０の長手方向前進とストラップのワインディング速度との組合せにより得られる。螺旋（ヘリックス）のピッチＰ（図１８の詳細図参照）は、パッキングステーションに沿うタイヤバッチの全移動中に調節できる。
【００６８】
取出しステーション５００は、取出しコンベア５３０を有している。このコンベアは、２つの低いセクション５１０、５１１を有することは理解されよう。これらのセクションにより形成されるギャップは、通常のフォークリフトトラックのフォークを受入れて、パッケージングされたタイヤバッチを取出すことを可能にするためのものである。かくして、ギャップの長手方向長さは、タイヤ貯蔵倉庫で使用されている慣用トラックの殆どのフォークを受け入れることができるように調節される。
【００６９】
以下の説明の目的は、図２〜図２１を参照して本発明の装置を使用する方法の主フェーズを示すことにある。
【００７０】
パッケージングすべきタイヤバッチＬが作られたとき、トランスファ装置の支柱１１０、１２０、１３０、１４０は、図２に示すようにバッチＬの両長手方向端部に対をなして配置される。タイヤは支柱２１０、２２０により所定位置に保持され、該支柱２１０、２２０は、これらの間にタイヤを配置してバッチの全体的サイズを定める。保持バー１１１（隠れて見えない）、１２１、１３１、１４１は、横方向に引込められた位置に配置され、トランスファ支柱がタイヤバッチに沿って移動できるようにする。
【００７１】
トランスファ支柱が所定位置に配置されると、保持バー１１１、１２１、１３１、１４１が横方向に移動して、図３に示すようにバッチＬのタイヤと接触するようになる。バーの位置は、バッチが一ステーションから他のステーションへと移動する間に、バッチが横方向および長手方向に確実に保持されるように、入念に選択される。バッチの全体的サイズを定める支柱２１０、２１１は所定位置に維持される。
【００７２】
次のフェーズは図４に示されている。このフェーズの間、下流側のサイズ支柱が装置の上流側方向へと長手方向に移動され、次に垂直方向に持上げられて、バッチが長手方向に自由に通り得るようにする。この瞬間では、バッチは、トランスファ組立体の保持バー１１１（隠れて見えない）、１２１、１３１、１４１によって保持されているに過ぎない。
【００７３】
プレ・パッケージングステーション２３０、圧縮ステーション３３０のコンベアおよびトランスファ支柱１１０、１２０、１３０、１４０の同時的かつ同期的作動により、バッチＬは、図５に示すように、プレ・パッケージングステーションから圧縮ステーションへと長手方向下流側に移動される。タイヤバッチは、保持バー１１１（隠れて見えない）、１２１、１３１、１４１（隠れて見えない）により保持される。
【００７４】
次に、図６に示すように、サイズ支柱２２０が、次のバッチを作ることができる位置へと再び下降され、バッチＬは圧縮ステーション３００に配置される。
【００７５】
タイヤバッチの幅に基いて、引っ込み可能フラップ３２２，３２３（隠れて見えない）が、図７に示すように下降される。前述のように、これらのフラップは、大径タイヤをパッケージングする場合だけでなく、タイヤが２つの長手方向列に配置される場合にも特に有効である。
【００７６】
図８は、タイヤが、層の平面に対して垂直な方向に、垂直に圧縮されるフェーズを示すものである。バッチを上方圧縮板３２０と下方圧縮板３３０との間で圧縮すべく、コラム３２４、３２５が下降される。タイヤバッチは、トランスファ組立体の保持バー１１１（隠れて見えない）、１２１、１３１（隠れて見えない）、１４１により依然として保持されている。
【００７７】
このフェーズ中に振動テーブル３１０が作動される。この効果は、タイヤの相互オーバーラップを補助しかつひとたびパッケージングがなされたときに内部結合力を増大させることにある。圧縮度は、圧縮される前のように、バッチの高さの６０％程度にすることができ、実際には、圧縮度は３０％程度である。
【００７８】
タイヤの位置決めを行うには、タイヤを最終圧縮レベルより僅かに大きい程度まで圧縮し、次に、所定量だけ圧縮度を弛緩させて所望の圧縮レベルに到達させる。
【００７９】
ひとたび所望の圧縮度が達成されたならば、引っ込み可能フラップ３２２、３２３（隠れて見えない）が図９に示すように上昇され、これによりバッチは、パッキングユニット４００に搬送される準備が整ったことになる。上方パッキングコンベア４４０は上方圧縮板３２０と同じ高さで垂直方向に位置決めされ、これにより、バッチはラッピングフェーズ中に同じ圧縮状態に維持される。
【００８０】
図１０に示すように、上下の圧縮板上に位置するコンベア３２１、３３０、パッキングコンベア４３０、４４０、および保持バー（隠れて見えない）、１２１、１３１、１４１を支持するトランスファ支柱１１０、１２０、１３０、１４０の同期した同時前進により、バッチＬは装置の下流側方向に移動される。
【００８１】
ストレッチ・ラッピングバンドラ４１０のストラップＢＹ０、ＢＹ１により形成されたカーテンの前方に到達すると、バッチＬは、ローラ４１２と４１３との間で引っ張られたストラップを引出す。かくしてストラップは、バッチｌの前面に対して張力が付与された状態で横たわり、次に、バッチがその前進を続けるとバッチの上面および下面上に同時に横たえられる。
【００８２】
ストラップがひとたびバッチＬの前部を覆うと、ストラップは、図１１に示した休止位置へと横方向に引っ込んでいる保持バー１２１、１４１を引出すことができるようになる。
【００８３】
図１２、図１３、図１４および図１５には、ストラップを横方向軸線ＹＹ′に位置決めする最終フェーズが示されている。バッチＬは、下流側保持バー１１１（隠れて見えない）、１３１およびパッキングコンベア４３０、４４０により保持されたまま、ストラップＢＹ０、ＢＹ１がバッチＬの上部および下部を全体的に覆うまで、その下降移動を続ける。ストラップＢＹ０、ＢＹ１のフィードスプール４１１、４１２が所要長さのストラップを供給する。
【００８４】
この段階で、支柱４１５により支持された上方ジョー４１６が下方溶着ジョーと出合う。この効果は、図１３に示すように、カーテンを閉じかつバッチの下流側前面上でカーテンを引っ張った状態にして、バッチの周囲に連続ラッピングを形成することにある。第一の溶着によりカーテンを閉じることができる。溶着ユニットに一体化されたブレード（図示せず）は、単にカーテンを切断することによりカーテンラッピングを分離する。第二の溶着は、次のバッチのラッピングを行うためのカーテンのシームＳを再構成できる。次に、図１４に示すように、上方ジョー４１６がその高い位置に戻される。
【００８５】
タイヤバッチを上流側方向に移動させ、次に再び下流側方向に移動させることにより、同じストレッチ・ラッピングバンドラを用いて第二および第三ラッピングを位置決めでき、これにより、ストレッチ・ラッピングバンドラは、各瞬間にストラップＢＹ０、ＢＹ１により形成されたカーテンを通り、前段で説明したような溶着および切断の作業を反復する。
【００８６】
ラッピングおよび２つのパッキングコンベアにより加えられる力は、バッチＬを保持するのに充分なものである。これにより、トランスファ組立体による保持を解放させることができる。図１５に示すように、保持バー１１１（隠れて見えない）、１３１は横方向に引出され４つの支柱１１０、１２０、１３０、１４０は、待機位置に戻される。
【００８７】
図１６〜図１９には、ストラップワインディングマシン４２０によるストラップＢＸの位置決めが示されている。本発明の方法のこの実施段階では、タイヤバッチは、２つのパッキングコンベア４３０、４４０および前に行われたラッピングにより全体が保持される。
【００８８】
円形レール４２１により案内されるストラップワインディングマシンは、図１６に示すように、タイヤバッチおよびパッキングコンベアの下流側部分４３１（隠れて見えない）、４４１により形成された組立体の周囲で回転する。ストラップＢＸは、図１７に示すように、コンベアの下流側端部を包囲することに留意されたい。
【００８９】
図１８の詳細挿入図に示すように、タイヤバッチＬの周囲のヘリカルワインディングのピッチＰは、パッキングコンベア４３０、４４０の方向および長手方向速度またはガイドレール４２１の周囲のストラップワインディングマシン４２０の回転速度を調節することにより決定される。かくして、ピッチＰは、全ストラップワインディングフェーズに亘って調節でき、かつハンドリング作業中にパッケージングされたバッチＬが受ける応力の性質に従って決定される。ピッチＰは、パッキングコンベアの移動方向に基いて増減でき、或いはゼロにするか、ストラップＢＸの幅より局部的に大きくすることもできる。一般的には、ピッチＰは、ストラップＢＸの幅部分の上に重なるように選択される。
【００９０】
ピッチＰは、バッチを形成するタイヤの質量および本数、バッチのサイズ、ストラップＢＸの引張り強度に関連して実験的に決定され、ひとたびパッケージングされたときに、バッチが、圧縮板３２０と３３０との間またはパッキングコンベア４３０と４４０との間で圧縮されたときの高さの２％以上膨張しないようにする。実際には、膨張度合いは、１％以下にする。フォークリフトトラックによるハンドリング中に最大の長手方向力を受ける領域（前記力は、応力の迅速計算法により証明されるように、タイヤバッチの上方中央領域および長手方向端部に加えられる）でのピッチＰを小さくする特別な注意が払われる。
【００９１】
図１８の詳細挿入図に示すように、ストラップＢＸは、上方コンベアの下流側端部４４１の肩部４４３、４４４の両上縁部上に適用される。同じことが、コンベア４３０の下流側端部４３１で肩部に適用される（図１８の斜視図では隠れて見えない）。バッチＬが前方に移動するとき、ストラップＢＸは前記縁部上でスリップし、これにより、パッキングコンベアの前記下流側部分４３１、４４１が、ストラップとタイヤの上下面との間のスペースから離脱できる。張力および予延伸により、ストラップは、次に、タイヤバッチの頂面および底面で垂直方向に整合して配置されたタイヤの後面を押圧する。
【００９２】
バッチが移動すると、バッチは、パッキングコンベア４３０、４４０から徐々に離脱し、ストラップＢＸが未だワインディングされていない部分のみが前記パッキングコンベアにより圧縮された状態に保持される。次にバッチは、取出しステーション５００のコンベア５３０に向けて移動される。この場合、コンベア５３０は、図１９に示すように、パッキングコンベアと同期移動するように設定されている。パッキング作業がひとたび完了すると、ストラップＢＸがタイヤバッチＬから分離され、バッチＬ上に残っているストラップの端部は、当業者に知られており従って図示しない溶着装置により該端部自体が溶着されることにより所定位置に固定される。次に、パッキング装置は、もう一度、図１に示した形態になる。
【００９３】
この段階では、バッチは、慣用のフォークリフトトラックのフォークにより持上げることができる充分な構造的強度を有する均質ユニットを形成するため、フラットパレットまたは厚紙被覆パレット等の支持面を用いる必要はない。
【００９４】
図２０〜図２４には、ストラップワインディング作業を行う特定方法が示されている。この実施形態では、図２０に示すように、下方パッキングコンベア４３１の下流側部分は、パッキングコンベア４３０の平面と整合して水平に維持される。
【００９５】
従って、ひとたびラッピングがなされたならば、バッチの下面は、該バッチが載っている平面に対して本質的に平行である。この構成により、取出しステーション５００のコンベア５３０に低い部分５１０、５１１が存在するため、装置からバッチＬを取出すことに大きな問題は何ら生じない。それにもかかわらず、バッチが次に平らな地面上に置かれたときに或る困難性が生じることがあり、この困難性は、慣用のフォークリフトトラックのフォークにより再び解決されなくてはならない。実際に、バッチをどこかに移動させるのに、ストラップまたはタイヤに損傷を与えることなく、バッチの下にフォークを滑り込ませることは困難である。
【００９６】
本発明の特別な設計によるストレッチ・ラッピング方法は、この困難性の解決を可能にする。図２１〜図２３に示すように、この問題は、コンベア４３１をその軸線（該軸線は、前述のようにＹＹ′方向に本質的に平行である）の回りで枢動させることにより、角度を数度だけ上向きに傾動させて、バッチの底部の中央部に高さＥの付加圧縮部を形成すれば充分である。図２２および図２３に示すように、この変形Ｅは、ストリップＢＸがバッチＬの周囲にひとたび巻き付けられている限り、ストリップＢＸにより永久的に維持される。高さＥは０〜１５ｃｍの範囲に定めることができ、付加圧縮力は７５０ｄａＮに達する。
【００９７】
ストラップワインディング作業の開始時および終時において、コンベア４３１は水平に維持され、バッチの底部は凹状になる。次にバッチは、図２０および図２４に示すように、その長手方向両端部の底部に配置されたタイヤ上に載る。もはやバッチの中央部は、バッチＬが載る表面に接触することはなく、従ってフォークリフトトラックのフォークを当該スペース内に容易に導入できる。
【００９８】
図２５〜図３０は、本明細書で説明した装置により作られる種々のタイヤバッチパッケージのスケッチを示すものである。
【００９９】
図２５には、単列のタイヤで形成されかつ実質的に平らな底部をもつパッケージングされたバッチが示され、図２６には、２列のタイヤで形成されたバッチが示されている。
【０１００】
図２７および図２８には、第一層を形成するタイヤが、慣用フォークリフトトラックのフォークと同間隔を隔てた２つの凹部Ｄ１、Ｄ２を形成するように配置された他のバッチ形状が示されている。ストラップＢＸに張力が付与されているため、ストラップＢＸはこれらの凹部の形状に実質的に一致し、従ってフォークリフトトラックのフォークを容易に導入できる。
【０１０１】
図２９には、フォークリフトトラックのフォークをタイヤバッチＬの下に導入可能にする凹部Ｄ１、Ｄ２が、バッチの長手方向両端部に位置しているタイヤバッチが示されている。
【０１０２】
図２７、図２８および図２９に示すバッチの形状は、プレ・パッケージングステーションでタイヤバッチＬを作る間に得られる。凹部Ｄ１、Ｄ２はタイヤの第一層の形成中に形成できるが、好ましくは最終層の形成中に形成する。
【０１０３】
実際に、この第二オプションは、パッケージングが完成したときに、バッチＬにより大きい構造的安定性を付与できる長所を有することが観察されている。この場合、フォークリフトトラックのフォークを導入してバッチを取出すことができるようにするには、凹部Ｄ１、Ｄ２がバッチの底部に形成されるように、バッチをその長手方向軸線の回りで回転させる必要がある。
【０１０４】
図３０および図３１には、単列のタイヤからなるバッチであって、その底部の中央部に付加圧縮部を設けて、フォークリフトトラックのフォークを導入できる凹部を形成したバッチが示されている。
【０１０５】
本発明の装置は、非常に多くのパッケージされたタイヤバッチを作ることができる。従って、要求する軸線方向に沿ってストラップを位置決めすることは特に容易に達成できる。
【０１０６】
最後に、全てのタイヤバッチは補完パッケージング手段が不要であるため、貯蔵倉庫で期待されるハンドリングを容易に行うことができる。本発明によるタイヤバッチはフォークリフトトラックの補助により直接的に操作でき、かつ輸送および倉庫での貯蔵の両方に適した論理的単位を形成することにより、パッケージング変化に必要なハンドリング作業を回避できる。
【図面の簡単な説明】
【０１０７】
【図１】本発明のパッケージング装置を示す概略斜視図である。
【図２】パッケージング装置の作動の各主要フェーズでのパッケージング装置の種々の要素の連続的移動の１つを示す概略斜視図である。
【図３】パッケージング装置の作動の各主要フェーズでのパッケージング装置の種々の要素の連続的移動の１つを示す概略斜視図である。
【図４】パッケージング装置の作動の各主要フェーズでのパッケージング装置の種々の要素の連続的移動の１つを示す概略斜視図である。
【図５】パッケージング装置の作動の各主要フェーズでのパッケージング装置の種々の要素の連続的移動の１つを示す概略斜視図である。
【図６】パッケージング装置の作動の各主要フェーズでのパッケージング装置の種々の要素の連続的移動の１つを示す概略斜視図である。
【図７】パッケージング装置の作動の各主要フェーズでのパッケージング装置の種々の要素の連続的移動の１つを示す概略斜視図である。
【図８】パッケージング装置の作動の各主要フェーズでのパッケージング装置の種々の要素の連続的移動の１つを示す概略斜視図である。
【図９】パッケージング装置の作動の各主要フェーズでのパッケージング装置の種々の要素の連続的移動の１つを示す概略斜視図である。
【図１０】パッケージング装置の作動の各主要フェーズでのパッケージング装置の種々の要素の連続的移動の１つを示す概略斜視図である。
【図１１】パッケージング装置の作動の各主要フェーズでのパッケージング装置の種々の要素の連続的移動の１つを示す概略斜視図である。
【図１２】パッケージング装置の作動の各主要フェーズでのパッケージング装置の種々の要素の連続的移動の１つを示す概略斜視図である。
【図１３】パッケージング装置の作動の各主要フェーズでのパッケージング装置の種々の要素の連続的移動の１つを示す概略斜視図である。
【図１４】パッケージング装置の作動の各主要フェーズでのパッケージング装置の種々の要素の連続的移動の１つを示す概略斜視図である。
【図１５】パッケージング装置の作動の各主要フェーズでのパッケージング装置の種々の要素の連続的移動の１つを示す概略斜視図である。
【図１６】パッケージング装置の作動の各主要フェーズでのパッケージング装置の種々の要素の連続的移動の１つを示す概略斜視図である。
【図１７】パッケージング装置の作動の各主要フェーズでのパッケージング装置の種々の要素の連続的移動の１つを示す概略斜視図である。
【図１８】パッケージング装置の作動の各主要フェーズでのパッケージング装置の種々の要素の連続的移動の１つを示す概略斜視図である。
【図１９】パッケージング装置の作動の各主要フェーズでのパッケージング装置の種々の要素の連続的移動の１つを示す概略斜視図である。
【図２０】ストラップのスパイラルラッピングおよび下方パッキングコンベアの種々の実施の１つを示す概略図である。
【図２１】ストラップのスパイラルラッピングおよび下方パッキングコンベアの種々の実施の１つを示す概略図である。
【図２２】ストラップのスパイラルラッピングおよび下方パッキングコンベアの種々の実施の１つを示す概略図である。
【図２３】ストラップのスパイラルラッピングおよび下方パッキングコンベアの種々の実施の１つを示す概略図である。
【図２４】ストラップのスパイラルラッピングおよび下方パッキングコンベアの種々の実施の１つを示す概略図である。
【図２５】本発明の装置により作られるタイヤバッチの一例を示す概略斜視図である。
【図２６】本発明の装置により作られるタイヤバッチの一例を示す概略斜視図である。
【図２７】本発明の装置により作られるタイヤバッチの一例を示す概略斜視図である。
【図２８】本発明の装置により作られるタイヤバッチの一例を示す概略斜視図である。
【図２９】本発明の装置により作られるタイヤバッチの一例を示す概略斜視図である。
【図３０】本発明の装置により作られるタイヤバッチの一例を示す概略斜視図である。
【図３１】本発明の装置により作られるタイヤバッチの一例を示す概略斜視図である。
【符号の説明】
【０１０８】
１００  トランスファ組立体
１１０、１２０、１３０、１４０  トランスファ支柱
２００  プレ・パッケージングステーション
３００  圧縮ステーション
４００  パッキングユニット
４１０  ストレッチ・ラッピングバンドラ
４２０  ストラップワインディングマシン
５００  取出しステーション
ＢＸ、ＢＹ  ストラップ
Ｌ  タイヤバッチ
【図１】
2006168833.tif 000004
【図２】
2006168833.tif 000005
【図３】
2006168833.tif 000006
【図４】
2006168833.tif 000007
【図５】
2006168833.tif 000008
【図６】
2006168833.tif 000009
【図７】
2006168833.tif 000010
【図８】
2006168833.tif 000011
【図９】
2006168833.tif 000012
【図１０】
2006168833.tif 000013
【図１１】
2006168833.tif 000014
【図１２】
2006168833.tif 000015
【図１３】
2006168833.tif 000016
【図１４】
2006168833.tif 000017
【図１５】
2006168833.tif 000018
【図１６】
2006168833.tif 000019
【図１７】
2006168833.tif 000020
【図１８】
2006168833.tif 000021
【図１９】
2006168833.tif 000022
【図２０】
2006168833.tif 000023
【図２１】
2006168833.tif 000024
【図２２】
2006168833.tif 000025
【図２３】
2006168833.tif 000026
【図２４】
2006168833.tif 000027
【図２５】
2006168833.tif 000028
【図２６】
2006168833.tif 000029
【図２７】
2006168833.tif 000030
【図２８】
2006168833.tif 000031
【図２９】
2006168833.tif 000032
【図３０】
2006168833.tif 000033
【図３１】
2006168833.tif 000034
【外国語明細書】
2006168833.tif 000035
2006168833.tif 000036
2006168833.tif 000037
2006168833.tif 000038
2006168833.tif 000039
2006168833.tif 000040
2006168833.tif 000041
2006168833.tif 000042
2006168833.tif 000043
2006168833.tif 000044
2006168833.tif 000045
2006168833.tif 000046
2006168833.tif 000047
2006168833.tif 000048
2006168833.tif 000049
2006168833.tif 000050
2006168833.tif 000051
2006168833.tif 000052
2006168833.tif 000053
2006168833.tif 000054
2006168833.tif 000055
2006168833.tif 000056
2006168833.tif 000057
2006168833.tif 000058
2006168833.tif 000059
2006168833.tif 000060
2006168833.tif 000061
2006168833.tif 000062
2006168833.tif 000063
2006168833.tif 000064
2006168833.tif 000065
2006168833.tif 000066
2006168833.tif 000067
2006168833.tif 000068
2006168833.tif 000069
2006168833.tif 000070
2006168833.tif 000071
2006168833.tif 000072
2006168833.tif 000073
2006168833.tif 000074
2006168833.tif 000075
2006168833.tif 000076
2006168833.tif 000077
2006168833.tif 000078